(57)【要約】      （修正有）【課題】ヒートアイランド対策のため、軽量で栽培出来る蔦類を用いて緑化した、その施工や撤去が簡単にできる駐車場を提供する。【解決手段】生命力旺盛な蔦類を用いて、日陰を作るため、車２、３台を単位とした蔦栽培用セットを円形の金属製パイプで組み立てることにより、安価で、取り付け取り外しの容易な駐車場が可能となる。【選択図】図１
0003151206.tif 000002
【実用新案登録請求の範囲】
【請求項１】
駐車場（路面駐車又は立体駐車場）のヒートアイランド対策のため、直射日光を避けるため頭上に蔦類を走らせて作る駐車場として：
―金属製パイプで２−３台の車を単位として、上から見て、四足の骨組みを組立て、その周りに金属製ロープーを走らせ、それを支えに蔦類を植木鉢から育て、駐車場の天上全体を立体的に緑化する装置。
―骨組みは普通半円形の金属製パイプを使うことに拠り、軽量で強度があり、美観の良い装置が出来る。雨水の遮水雅必要な時には真四角な骨組みが望ましい。
―四足の骨組みは、地表に置いた支柱（幾分か埋めることも考えられる）に、上空から差し込むように設置する。又四足の骨組みは隣同士硬く締め上げられるので全体が一体化して、風圧に強いものとなる。
―全て上空から置いて組み立てるだけの設置方式ゆえ工作物として、簡単に設置して、簡単に取り外しが出来る。
【考案の詳細な説明】
【技術分野】
【０００１】芝生その他マット植物を頭上で生育させるには、４０−６０ｋｇ／ｍ２と大変な重量となりコストアップにもなる。蔦類は金属製骨組みの周囲の地上の栽培箱から生やす。
【背景技術】
【０００２】駐車場緑化、特に路面駐車、立体駐車場の最上階に芝生を用いた屋根で日陰を作れば、コスト高につく、建築物は撤去が難しい等問題が多くあり、避けられてきた。
【考案の開示】
【考案が解決しようとする課題】
【０００３】―壁面を含めた立体的な緑化により、エコ対策ばかりでなく、緑の美観を提供したい。
―屋根の緑化セットを簡単に工作物として作り、撤去も直ぐにできるようにしたい。
―設備コスト、設置費用等を安く抑えたい。
【課題を解決するための手段】―添付図面参照頂きたく。金属製パイプの円形を最大限に活用すること、又蔦を地上から上空に這わせることに拠り、全ての課題が解決できる。
四足の骨組みが角には四本集まりこれを締め上げ金具で固定し真下にある支柱の受け皿に差し入れ固定すると全体が一体となり数１０台の車を一体にカバーするので重量も大きくなり風圧対策にも効果がある。
この骨組みにロープを一定間隔を保ち張り巡らせ、それに蔦を絡ませ成長させる。
―円形のパイプを使えば更に強度が出て、コストが安く、全体の美観に柔らか味が出せる。
【考案の効果】
【０００４】―蔦類を使うことの利点：地上から上空に成長するので，潅水等管理が容易となる。
生命力旺盛で垂直、水平等立体的に軽量で緑化できる。
―金属製パイプと金属製ロープの組み合わせゆえ、軽量、取り付け工事、取り崩し工事が簡単ゆえ、工作物として扱われ、レンタル扱いが可能と成る。
―円形パイプを使う場合は、全体が丸みを帯び、美観が良くなる。
【考案を実施するための最良の形態】
【０００５】―既設の立体駐車場の最上階の緑化にも軽量ゆえ可能です。また屋根ばかりでなく、壁面緑化もこの方法で可能です。
―（図１）８のように、ご希望に応じ遮水シートでカバーすることができる。
【実施例】
【０００６】―蔦は一種類ではなく、適当な間隔で違った種類の蔦、例えばキーウイ、ゴーヤ等を植えれば、単調さが無くなり、美観も良くなる。好みに応じ支柱の上の空間にカラフルな花の植木鉢を置く事もできる。
【図面の簡単な説明】
【０００７】
【図１】駐車場の前面図。２台が単位の場合。三台以上も可能です。
【図２】側面図。四本の丸棒が集まる角の上には空間が出来るので好みの花類を置く事ができる。
【図３】平面図。黒い太い線が金属製パイプ。細い線が金属製ロープ。
【図４】支柱の受け皿。太い二本のパイプが鉄製骨組み。後ろに二本で全体として四本が一体になるよう金具で締め上げる。又両側のコンクリートブロックでずれが防がれている。
【図５】角ばった骨組み（遮水シートを置きたい場合）の前面図
【符号の説明】
【０００８】１  金属製パイプ
２  蔦用プランター（植栽箱）
３  金属製ロープに絡んだ蔦
４  締め上げ金具
５  支柱の受け皿
６  花用プランター
７  遮水シート
８  コンクリートブロック
【図１】
0003151206.tif 000003
【図２】
0003151206.tif 000004
【図３】
0003151206.tif 000005
【図４】
0003151206.tif 000006
【図５】
0003151206.tif 000007
【手続補正書】
【提出日】平成20年11月17日(2008.11.17)
【手続補正１】
【補正対象書類名】明細書
【補正対象項目名】０００５
【補正方法】変更
【補正の内容】
【０００５】−既設の立体駐車場の緑化にも軽量ゆえ可能です。また屋根ばかりでなく、壁面緑化もこ  の方法で可能です。
−（図１）、（図２）７のように、ご希望に応じ遮水シートでカバーする。
【手続補正２】
【補正対象書類名】明細書
【補正対象項目名】０００７
【補正方法】変更
【補正の内容】
【０００７】
【図１】駐車場の立体図。２台が単位の場合．３台以上も可能です。シンプルで安価な組み合わせ。蔦は側面だけにして、緑のトンネル状にする。
【図２】平面図。黒い太い線が金属製パイプ。細い線が金属製ロープ。ロープが垂れないように支持棒を５本走しらせ、その上に遮水シートを置く。
【図３】支柱の受け皿。太い２本パイプが金属製骨組み。後ろに２本で全体として４本が一体になるように金具で締め上げる。又両側のコンクリートブロックでずれが防がれている。
【図４】コの字型の骨組み。好みにより円形又はコの字型が選べる。
【手続補正３】
【補正対象書類名】明細書
【補正対象項目名】０００８
【補正方法】変更
【補正の内容】
【０００８】１  金属製パイプ
２  蔦用プランター（植栽箱）
３  金属製ロープに絡んだ蔦
４  締め上げ金具
５  支柱の受け皿
６  補助棒
７  遮水シート
８  コンクリートブロック
【手続補正４】
【補正対象書類名】図面
【補正対象項目名】全図
【補正方法】変更
【補正の内容】
【図−１】
0003151206.tif 000008
【図２】
0003151206.tif 000009
【図３】
0003151206.tif 000010
【図４】
0003151206.tif 000011
【手続補正書】
【提出日】平成21年1月23日(2009.1.23)
【手続補正１】
【補正対象書類名】実用新案登録請求の範囲
【補正対象項目名】全文
【補正方法】変更
【補正の内容】
【実用新案登録請求の範囲】
【請求項１】
駐車場の緑化であって、ヒートアイランド対策のため直射日光を避けるため頭上に蔦を走らせる，
（１）金属製パイプで２−３台の車を単位として、トンネル状の骨組みを作り、その周り      に金属製のロープを走らせ、それを支えに蔦類を植栽槽から育て、駐車場の天井を      立体的に緑化する、
（２）骨組みを風圧に対して抵抗力を持たせるため、隣同士の骨組みの足元を、締め上げ      金具で締めあげ、地上では骨組みと植栽槽をバインダーで締め上げ一体化する、
（３）植栽槽に保水性と同時に透水性を持たせるため、植栽槽の底辺に土壌改良剤を不織      布で包んだパイルを設置し、同じ土壌改良剤を栽培土壌全体にも充填しておく、
以上の構成からなる駐車場。
【手続補正３】
【補正対象書類名】明細書
【補正対象項目名】０００３
【補正方法】変更
【補正の内容】
【０００３】−添付（図１）参照頂きたく。金属製パイプのトンネル型を最大限に活用すること、又蔦  を地上から上空に這わせることに拠り課題を解決する、
特に、隣同士の骨組みを締め上げ金具で固定化し、また骨組みと植栽槽をバインダーで  締める事に拠り、数十台の車を一体にカバーすることに拠り、重量を大きくし風圧対策  とする、
−植栽槽の保水性、透水性を高めるため、優良な土壌改良剤をパイル状にして使用する。
【手続補正４】
【補正対象書類名】明細書
【補正対象項目名】０００４
【補正方法】変更
【補正の内容】
【０００４】−現在良く知られている路面を芝生で緑化する方式との比較：
１）緑化面積：従来方式：車体の荷重を受けるため、半分以上プラスチックが表面に出      て、芝生が育つのは半分以下の面積、一方、当該方式ではトンネル上に蔦を上空に      育てるため、地上の面積の倍以上が緑化面積となっている、結論として当該方式で      は従来の芝生方式の約４倍以上の緑化面積が緑化されている、圧倒的に比較になら      ないほど緑化面積が大きい。
２）美観：従来方式は平面的で、冬枯れするので目立ちにくい、
当該方式：立体的で、常緑ゆえ目立ちやすい、
３）栽培維持管理：芝生の散水は方式が複雑になる、蔦は元々生育が逞しく、水の供給      も簡単に出来る、
４）施工方法：従来方式は路面のコンクリートを全て剥ぎ取り必要がある、
当該方式は骨組みをコンクリートの上に置くだけでよい。
−蔦類を使うことの利点：地上から上空に成長するので、潅水等管理が容易となる。
生命力旺盛で垂直、水平等立体的に、軽量で緑化できる、
−金属製パイプと金属製ロープの組み合わせのため、軽量、取り付け、取り外し工事が簡  単ゆえ、工作物として扱われ、レンタル扱いが可能となる、
−路面駐車は、しばしば災害時の避難場所として使われるが、そのため、地面は建築物を  建てず、手付かずの状態が要求される。所が、見方を変えれば、今回のトンネル方式の  セットは災害時の避難、受け入れ場所として理想的な条件を備えているとも言える。
即ち、遮水シートが屋根代わりに雨水対策となり、トンネル状プラスチックハウスとし  て、その下で一時的な生活が可能となる、
−イルミネイシオンセットをトンネル状の蔦の上に置くだけで、夜は中からと外両面でイ  ルミネイシオンが余計なコストを掛けずに楽しむことが出来る。
【手続補正５】
【補正対象書類名】明細書
【補正対象項目名】０００５
【補正方法】変更
【補正の内容】
【０００５】−既設の立体駐車場の最上階の緑化にも軽量で工作物ゆえ可能です、
−（図１）、（図２）６のように、ご希望に応じ遮水シートでカバーする、
−風圧対策として、骨組みユニットの一体化、植栽槽と骨組みの一体化する、
−蔦の栽培に必要な水の供給の回数，量を最小限にするため、保水性と透水性両面に優れ  た土壌改良剤を活用する、底辺には不織布に入れたパインで、植栽槽の培土にも充分添  加しておく。
【手続補正６】
【補正対象書類名】明細書
【補正対象項目名】０００６
【補正方法】変更
【補正の内容】
【０００６】−金属製パイプでトンネル上の骨組みを作るケース：野菜栽培のビニールハウスで実証済  み、
−蔦を垂直に育てるケース：高層ビルの壁面緑化で実績済み、
−土壌改良剤を不織布で包んだパイル：立ち上げ工法としては街路樹で実績済み、
横引き工法ではゴルフ場の芝、バンカーの手痛い水の誘導、排水で実績済み。
【手続補正７】
【補正対象書類名】明細書
【補正対象項目名】０００７
【補正方法】変更
【補正の内容】
【０００７】
【図１】駐車場の立体図。２台が単位の場合．３台以上も可能です。シンプルで安価な組み合わせ。蔦は側面だけにして、緑のトンネル状にする。
【図２】平面図。黒い太い線が金属製パイプ。細い線が金属製ロープ。ロープが垂れないように支持棒を５−６本走らせ、その上に遮水シートを置く。
【図３】植栽槽：底辺に土壌改良剤を不織布で包んだパイルを走らせ、末端をＬ字型に植栽槽の上部まで持ち上げ、外部からの水を受け入れ、栽培槽の奥まで水が流れるようにする。
【手続補正８】
【補正対象書類名】明細書
【補正対象項目名】０００８
【補正方法】変更
【補正の内容】
【０００８】１金属製パイプ
２補強パイプ
３植栽槽
４バインダー（植栽槽とパイプ）
５パイル
６遮水シート
７締め上げ金具（隣同士のセット４台）
８金属製ロープに絡んだ蔦
【手続補正９】
【補正対象書類名】図面
【補正対象項目名】全図
【補正方法】変更
【補正の内容】
【図１】
0003151206.tif 000012
【図２】
0003151206.tif 000013
【図３】
0003151206.tif 000014